(57)【要約】      （修正有）【課題】人が足で硬い地面を踏むとき、下肢バイオメカニクスを維持し（正確な下肢骨格の配列）、乱れた下肢骨格の配列によって全身的な姿勢不良からの不快感及び痛みを緩和させる扁平足向け下肢矯正装具を提供する。【解決手段】内部に着用空間が形成される二つの本体１０ａを含み、各本体１０ａは、足裏部１１と、足裏部１１と接続し、上部に着用空間と接続する開口が形成される足首部１２と、足首部１２の上部に接続する下腿部と、足裏部１１から足首部１２まで延在し、着用空間を囲繞するように隣接する基礎部１７と、足裏部１１から足首部１２に向かって延び、足弓区１１３を通って、着用空間を囲繞するように隣接する第１弾性補助部１８と、を備え、ここでの第１弾性補助部１８は、人体の立方骨に対応する位置から延び、人体の舟状骨に対応する位置を順次に通過し、斜め上に向かって足首部１２内の人体の距骨に対応する位置を通って、下腿部まで延在する。【選択図】図１
2019177136.tif 000002
【特許請求の範囲】
【請求項１】
扁平足向け下肢矯正装具であって、
内部に着用空間が形成される二つの本体を含み、
各本体は、
足底区と、該足底区と上下に対向する足甲区と、内側に形成されて該足底区と足甲区とを接続する足弓区と、外側に形成されて該足底区と足甲区とを接続する外側区と、を含む足裏部と、
前記足裏部と接続し、上部に前記着用空間と接続する開口が形成される足首部と、
前記足首部の上部に接続する下腿部と、
前記足裏部から前記足首部まで延在し、前記着用空間を囲繞するように隣接する基礎部と、
前記足裏部から前記足首部に向かって延び、前記足弓区を通って、前記着用空間を囲繞するように隣接する第１弾性補助部と、を備え、
前記第１弾性補助部は、前記足甲区内の人体の立方骨に対応する位置から延び、前記外側区、前記足底区、前記足弓区内の人体の舟状骨に対応する位置を順次に通過し、斜め上に向かって前記足首部内の人体の距骨に対応する位置を通って、前記下腿部まで延在することを特徴とする、
扁平足向け下肢矯正装具。
【請求項２】
前記第１弾性補助部が前記下腿部に巻き付くことを特徴とする請求項１に記載の扁平足向け下肢矯正装具。
【請求項３】
前記各本体は、前記足裏部の先端に接続し、第１足指袋を有する爪先部と、第２弾性補助部と、を備え、前記爪先部が前記足裏部の先端に位置することによって、前記基礎部が該足裏部から爪先部まで延在することになり、前記第１足指袋と足弓区との間の、前記爪先部と足裏部と接続する箇所に、外反母趾区が形成され、前記第２弾性補助部は、前記第１足指袋内の人体の第１趾の上部に対応する位置から下向きに第１趾の下部を回った後、上に回って前記第１外反母趾区を覆い包み、さらに前記足甲区を通って足首部に向かって斜め上に延びて前記第１弾性補助部と接続することを特徴とする請求項２に記載の扁平足向け下肢矯正装具。
【請求項４】
前記各本体は、前記下腿部の上部と接続する膝関節部と、該膝関節部と接続する大腿部を備え、前記第１弾性補助部は、前記下腿部の後ろ側を回った後、内向きに上方へ進んで前記膝関節部の内側を通って、さらに前記大腿部の前側を回って、該大腿部に巻き付くことを特徴とする請求項１に記載の扁平足向け下肢矯正装具。
【請求項５】
前記各本体は、前記足裏部の先端に接続し、第１足指袋を有する爪先部と、第２弾性補助部と、を備え、前記爪先部が前記足裏部の先端に位置することによって、前記基礎部が該足裏部から爪先部まで延在することになり、前記第１足指袋と足弓区との間の、前記爪先部と足裏部と接続する箇所に、外反母趾区が形成され、前記第２弾性補助部は、前記第１足指袋内の人体の第１趾の上部に対応する位置から下向きに第１趾の下部を回った後、上に回って前記第１外反母趾区を覆い包み、さらに前記足甲区を通って足首部に向かって斜め上に延びて前記第１弾性補助部と接続することを特徴とする請求項４に記載の扁平足向け下肢矯正装具。
【請求項６】
骨盤部と、前記各本体における下腿部の上部と接続する膝関節部と、該膝関節部と接続する大腿部とを、備え、前記骨盤部は、前記各二つの本体の大腿部と接続し、且つ人体の股関節に対応し、前記第１弾性補助部は、前記下腿部の後ろ側を回った後、内向きに上方へ進んで前記膝関節部の内側を通って、さらに前記大腿部の前側を通って外向きに上方へ延び、前記骨盤部の外側を回って人体の股関節を覆い包み、外から内へ向かって人体の骨盤後部の臀部に対応する位置において他の一つの第１弾性補助部と交差し、斜め上に延びて人体の仙腸関節及び腸骨稜を通って、人体の骨盤と腰部を繋ぐ箇所に巻き付くことを特徴とする請求項１に記載の扁平足向け下肢矯正装具。
【請求項７】
前記各本体は、前記足裏部の先端に接続し、第１足指袋を有する爪先部と、第２弾性補助部と、を備え、前記爪先部が前記足裏部の先端に位置することによって、前記基礎部が該足裏部から爪先部まで延在することになり、前記第１足指袋と足弓区との間の、前記爪先部と足裏部と接続する箇所に、外反母趾区が形成され、前記第２弾性補助部は、前記第１足指袋内の人体の第１趾の上部に対応する位置から下向きに第１趾の下部を回った後、上に回って前記第１外反母趾区を覆い包み、さらに前記足甲区を通って足首部に向かって斜め上に延びて前記第１弾性補助部と接続することを特徴とする請求項６に記載の扁平足向け下肢矯正装具。
【発明の詳細な説明】
【技術分野】
【０００１】
本発明は、下肢矯正装具に関し、特に足の回内（機能性扁平足）、外反母趾、下肢の内旋、外反膝（Ｘ脚）、及び骨盤の傾斜及び回旋を矯正するのを助ける扁平足向け下肢矯正装具に関するものである。
【背景技術】
【０００２】
古来から、人が足で土や砂や芝生などの柔らかい地面を踏むとき、足は、圧力により適切に変形し（例えば、砂の表面の足跡から見ると、足の外側は陥没するが、内側は陥没せずに土踏まずを支持している）、足で身体全体を支える。これにより、人が柔らかい地面を踏むとき、足の回内を防ぐと共に、土踏まずのアーチの角度が崩れずに、下肢バイオメカニクス及び骨格の配列を支持し、身体全体を正しい姿勢に維持している。
【０００３】
しかし、現代社会では、コンクリート舗装などの硬い地面の上を踏むとき、足は、加えられる圧力により適切に変形できないため、足が過剰回内によって過度の圧力と動きを生み出し、より深刻な状況になると、足の骨が変位し、足首関節及び距骨変位（ｔａｌｕｓ  ａｄｄｕｃｔｉｏｎ  ｃｏｍｂｉｎｅ  ｉｎｖｅｒｓｉｏｎ）、距骨下関節の変位、下肢（脛骨、大腿骨）内旋（ｉｎｔｅｒｎａｌ  ｒｏｔａｔｉｏｎ）が発生することで、外反膝（ｋｎｅｅ  ｖａｌｇｕｓ）を誘発し、Ｘ脚になってしまう。
大腿骨が内旋すると、股関節の大腿骨頭（ｆｅｍｏｒａｌ  ｈｅａｄ）が骨盤の寛骨臼（ａｃｅｔａｂｕｌａｒ）を後方に押圧して、骨盤を傾け、その骨盤の傾きは、代償性脊柱側弯症を誘発し、機能性脊柱側弯症を発症させ、下肢及び傍脊柱筋軟組織の張力が不均一になり、更に、下肢バイオメカニクス及び骨格の配列が乱れることによって、以下の症状を発症させる恐れがある。例えば、足底筋膜炎（ｐｌａｎｔａｒ  ｆａｓｃｉｉｔｉｓ）、アキレス腱の痛み（Ａｃｈｉｌｌｅｓ  ｔｅｎｄｏｎ  ｐａｉｎ）、脛前後の痛み（ｓｈｉｎ  ｓｐｌｉｎｔ）、膝の内側と外側の痛み（ＭＣＬ  ｓｔｒｅｔｃｈ  ＆  ｌａｔ  ｍｅｎｉｓｃｕｓ  ｃｏｍｐｒｅｓｓｉｏｎ）、前十字靭帯の損傷（ＡＣＬ  ｓｔｒｅｔｃｈ）、外反膝蓋骨（ｐａｔｅｌｌａ  ｖａｌｇｕｓ）、腸脛靭帯症候群（ＩＴＢ  ｓｙｎｄｒｏｍｅ）、中臀筋障害（Ｇｌｕｔｅｕｓ  ｍｅｄｉｕｓ  ｄｙｓｆｕｎｃｔｉｏｎ）、骨盤の傾斜及び回旋（ｐｅｌｖｉｃ  ｔｉｌｔ  ＆  ｔｏｒｓｉｏｎ）、機能性脚長差、機能性脊柱側弯症（ｆｕｎｃｔｉｏｎａｌ  ｓｃｏｌｉｏｓｉｓ）、股関節の痛み（ｈｉｐ  ｊｏｉｎｔ  ｂｕｒｓｉｔｉｓ）、梨状筋障害（ｐｉｒｉｆｏｒｍｉｓ  ｓｙｎｄｒｏｍｅ）、腰筋、多裂筋障害（ｐｓｏａｓ  ｍａｊｏｒ，ｍｕｌｔｉｆｉｄｕｓ  ｓｔｒｅｔｃｈ  ＆  ｗｅａｋｎｅｓｓ）、仙腸関節の痛み（ＳＩ  ｊｏｉｎｔ  ｓｕｂｌｕｘａｔｉｏｎ  ＆  ｓａｃｒｏｌｉｔｉｓ）、背中下部の痛み（ＨＩＶＤ，ｆａｃｅｔ  ｊｏｉｎｔ  ｓｙｎｄｒｏｍｅ，ｓｏｆｔ  ｔｉｓｓｕｅ  ｔｉｇｈｔｎｅｓｓ  ｏｒ  ｓｐｏｎｄｙｌｏｌｉｔｈｅｓｉｓ）、代償性肩関節障害（ｓｈｏｕｌｄｅｒ  ｅｌｅｖａｔｉｏｎ  ｃｏｍｐｅｎｓａｔｉｏｎ  ｄｙｓｆｕｎｃｔｉｏｎ）、肩凝り（ＣＴ  ｊｕｎｃｔｉｏｎ，ｃｅｒｖｉｃａｌ  ｄｉｓｃ  ｈｅｒｎｉａｔｉｏｎ，ｆａｃｅｔ  ｊｏｉｎｔ  ｓｙｎｄｒｏｍｅ，ｍｙｏｆａｃｉａｌ  ｐｒｏｂｌｅｍ）、顎関節錯位（ＴＭＪ  ｓｕｂｌｕｘａｔｉｏｎ）、片頭痛などである。
【０００４】
図１７、図１８Ａ及び図１８Ｂに示すように、足９０の過剰回内が起こると、足９０上方の脛骨９１が内側に回転し、次いで回転した脛骨９１により大腿骨９２が内側に回転することで、膝関節９９が外反してしまってＸ脚になり、それに加えて、内側に回転した大腿骨９２が、接続している大腿骨頭９３を介して骨盤９５の寛骨臼９４を後方に押圧して、骨盤を傾斜及び回旋させ、傾いた骨盤が脊柱９６に代償性側弯症を誘発させてしまい、また、側弯した脊柱９６が肩甲骨９７と肩峰鎖骨９８を傾けてしまう。
長期間に亘り不正確な骨格の配列は、姿勢を悪くすると共に、アキレス腱の痛み、骨盤の傾斜及び回旋、膝及び股関節の痛み、脚長差、背中の痛み、機能性脊柱側弯症などの一連の症状を引き起こす恐れがある。
【発明の概要】
【発明が解決しようとする課題】
【０００５】
本発明は、上記の課題に鑑み、人が足で硬い地面を踏むとき、下肢バイオメカニクスを維持し（正確な下肢骨格の配列）、乱れた下肢骨格の配列によって全身的な姿勢不良からの不快感及び痛みを緩和させる扁平足向け下肢矯正装具を提供することを目的としている。
【課題を解決するための手段】
【０００６】
上記目的を達成するために、本発明は、内部に着用空間が形成される二つの本体を含み、各本体は、足底区と、該足底区と上下に対向する足甲区と、内側に形成されて該足底区と足甲区とを接続する足弓区と、外側に形成されて該足底区と足甲区とを接続する外側区と、を含む足裏部と、前記足裏部と接続し、上部に前記着用空間と接続する開口が形成される足首部と、前記足首部の上部に接続する下腿部と、前記足裏部から前記足首部まで延在し、前記着用空間を囲繞するように隣接する基礎部と、前記足裏部から前記足首部に向かって延び、前記足弓区を通って、前記着用空間を囲繞するように隣接する第１弾性補助部と、を備え、ここでの前記第１弾性補助部は、前記足甲区内の人体の立方骨に対応する位置から延び、前記外側区、前記足底区、前記足弓区内の人体の舟状骨に対応する位置を順次に通過し、斜め上に向かって前記足首部内の人体の距骨に対応する位置を通って、前記下腿部まで延在する扁平足向け下肢矯正装具を提供する。
【０００７】
前記第１弾性補助部が前記下腿部に巻き付くことが好ましい。
【０００８】
記各本体は、前記下腿部の上部と接続する膝関節部と、該膝関節部と接続する大腿部を備え、ここでの前記第１弾性補助部は、前記下腿部の後ろ側を回った後、内向きに上方へ進んで前記膝関節部の内側を通って、さらに前記大腿部の前側を回って、該大腿部に巻き付くことが好ましい。
【０００９】
本発明の扁平足向け下肢矯正装具は、骨盤部と、前記各本体における下腿部の上部と接続する膝関節部と、該膝関節部と接続する大腿部とを、備え、前記骨盤部は、前記各二つの本体の大腿部と接続し、且つ人体の股関節に対応し、ここでの前記第１弾性補助部は、前記下腿部の後ろ側を回った後、内向きに上方へ進んで前記膝関節部の内側を通って、さらに前記大腿部の前側を通って外向きに上方へ延び、前記骨盤部の外側を回って人体の股関節を覆い包み、外から内へ向かって人体の骨盤後部の臀部に対応する位置において他の一つの第１弾性補助部と交差し、そして斜め上に延びて人体の仙腸関節及び腸骨稜を通って、人体の骨盤と腰部が繋がる箇所に巻き付くことが好ましい。
【００１０】
前記各本体は、前記足裏部の先端に接続し、第１足指袋を有する爪先部と、第２弾性補助部と、を備え、前記爪先部が前記足裏部の先端に位置することによって、前記基礎部が該足裏部から爪先部まで延在することになり、尚、前記第１足指袋と足弓区との間の、前記爪先部と足裏部と接続する箇所に、外反母趾区が形成され、前記第２弾性補助部は、前記第１足指袋内の人体の第１趾の上部に対応する位置から下向きに第１趾の下部を回った後、上に回って前記第１外反母趾区を覆い包み、さらに前記足甲区を通って足首部に向かって斜め上に延びて前記第１弾性補助部と接続することが好ましい。
【発明の効果】
【００１１】
上述の発明によれば、使用者が本発明の扁平足向け下肢矯正装具を下肢に装着し、本体の足裏部を使用者の足裏に合わせ、足裏部の足弓区を使用者の土踏まずに合わせ、本体の足首部を使用者の踝に合わせ、本体の膝関節部を使用者の膝関節に合わせ、股関節部を使用者の股関節の合わせ、及び骨盤部を使用者の骨盤に合わせることで、第１弾性補助部は、足弓区を回って足首部に向かって延びることにより、使用者の土踏まずに適切な引き上げ力を提供することができるので、踝、距骨下関節、脛骨、腓骨、大腿骨、膝関節、股関節、骨盤、及び脊柱による上から下への骨格の配列を正確な位置（姿勢）に維持することができると共に、乱れた下肢骨格の配列による全身的な姿勢不良からの不快感や痛みを緩和させることができる。このため、下肢骨格の配列の調整を効果的に補助し、バイオメカニクスを向上させることができるので、健康の増進に繋がる。
【図面の簡単な説明】
【００１２】
【図１】本発明の第１実施例の正面図である。
【図２】本発明の第１実施例の右側面図である。
【図３】本発明の第１実施例の左側面図である。
【図４】本発明の第１実施例の底面図である。
【図５】本発明の第２実施例の正面図である。
【図６】本発明の第２実施例の右側面図である。
【図７】本発明の第２実施例の左側面図である。
【図８】本発明の第２実施例の底面図である。
【図９】本発明の第３実施例の正面図である。
【図１０】本発明の第３実施例の右側面図である。
【図１１】本発明の第４実施例の第１態様の正面図である。
【図１２】本発明の第４実施例の第２態様の正面図である。
【図１３】本発明の第４実施例の第１態様の背面図である。
【図１４】本発明の第５実施例の第１態様の正面図である。
【図１５】本発明の第５実施例の第２態様の正面図である。
【図１６】本発明の第５実施例の第１態様の背面図である。
【図１７】足の過剰回内によって人体骨格の配列が乱れた状態を示す模式図である。
【図１８Ａ】正しい股関節の配列状態を示す模式図である。
【図１８Ｂ】足の過剰回内によって股関節の配列が乱れた状態を示す模式図である。
【発明を実施するための形態】
【００１３】
本発明の目的を達成するために採用された技術手段を、以下の図面及び好ましい実施形態により説明する。
【００１４】
図１、図５、図９、図１１、図１２、図１４及び図１５に示す本発明の複数の好ましい実施形態の正面図のように、上記の目的を達成するために、本発明は、内部に着用空間が形成される二つの本体１０ａ、１０ｂ、１０ｃ、１０ｄ、１０ｅを含み、前記各本体１０ａ、１０ｂ、１０ｃ、１０ｄ、１０ｅは、足裏部１１と、前記足裏部１１と接続する足首部１２と、を備える。前記足裏部１１はそれぞれ、上下に対向する足底区１１１と足甲区１１２と、該足裏部１１の内側に形成され、該足底区１１１と足甲区１１２とを接続する足弓区１１３と、該足裏部１１の外側に形成され、該足底区１１１と足甲区１１２とを接続する外側区１１４と、を含む。前記各本体１０ａ、１０ｂ、１０ｃ、１０ｄ、１０ｅは、前記足裏部１１から足首部１２まで延在し、前記着用空間を囲繞するように隣接する基礎部１７と、前記足裏部１１から足首部１２に向かって延び、前記足弓区１１３を回り込んで下腿部１４まで延在し、前記着用空間を囲繞するように隣接する第１弾性補助部１８と、を含む。
【００１５】
本発明の各実施例によると、図１〜図４、図５〜図８、図９〜図１０、図１１〜図１３、及び図１４〜図１６に示すように、前記第１弾性補助部１８は、前記足甲区１１２における人体の立方骨（Ｃｕｂｏｉｄ  ｂｏｎｅ）Ａに対応する位置から延び、外側区１１４、足底区１１１、足弓区１１３における人体の舟状骨（Ｎａｖｉｃｕｌａｒ  ｂｏｎｅ）Ｂに対応する位置を順次通過し、その後、斜め上に向かって足首部における人体の距骨（Ｔａｌｕｓ  ｂｏｎｅ）Ｃに対応する位置を通って下腿部まで延在する。また、図１〜図４、図５〜図８、図１１〜図１３、及び図１４〜図１６に示すように、前記各本体１０ａ、１０ｂ、１０ｄ，１０ｅは、前記足裏部１１の先端に接続する爪先部１３を備え、該爪先部１３が前記足裏部１１の先端に位置することで、前記基礎部１７が該足裏部１１から爪先部１３まで延在することになる。尚、ここでの爪先部１３は、五本指のような形状であってもよい。さらに、図１、図５、及び図９に示すように、前記各本体１０ａ、１０ｂ、１０ｃにおける足首部１２の上部には、前記着用空間と接続する開口が形成され、また、前記第１弾性補助部１８は、該足首部１２の上部に位置する下腿部に巻き付けられる。
【００１６】
図５〜図８に示すように、前記爪先部１３には、第１足指袋１３１が形成され、また、該第１足指袋１３１と足弓区１１３との間の、該爪先部１３と足裏部１１と接続する箇所に、第１外反母趾区１３２が形成される。前記各本体１０ｂは、前記第１足指袋１３１における第１趾の上部に対応する位置から下向きに第１趾の下部を回り込み、更に上方に回り込んで前記第１外反母趾区１３２における人体の第１中足骨関節（１ｓｔ  ｍｅｔａｔａｒｓａｌ  ｐｒｏｘｉｍａｌ  ｐｈａｌａｎｇｅａｌ  ｊｏｉｎｔ）Ｄに対応する位置を覆い、さらに前記足甲区１１２を通って足首部１２に向かって斜め上に延びて前記第１弾性補助部１８と接続する、第２弾性補助部１９を含む。
【００１７】
図１１〜図１３に示すように、前記各本体１０ｄは、下部が前記足首部１２の上部と接続する下腿部１４と、下部が前記下腿部１４の上部と接続する膝関節部１５と、前記膝関節部１５の上部と接続する大腿部１６と、を備え、前記基礎部１７は、前記足首部１２から下腿部１４、膝関節部１５、及び大腿部１６を順次通過し、該大腿部１６の上部に着用口が形成されるものである。図１２及び図１３に示すように、前記各本体１０ｄにおいて、前記足首部１２に位置する第１弾性補助部１８、又は第１弾性補助部１８及び第２弾性補助部１９は、前記下腿部１４の後ろ側を回り込んで、前記膝関節部１５の内側を通って、その後、前記大腿部１６の前側を回り込んで、該大腿部１６に巻き付く。
【００１８】
図１４〜図１６に示すように、前記各本体１０ｅは、下部が前記足首部１２の上部と接続する下腿部１４と、下部が前記下腿部１４の上部と接続する膝関節部１５と、前記膝関節部１５の上部と接続する大腿部１６と、を備え、前記基礎部１７は、前記足首部１２から下腿部１４、膝関節部１５、及び大腿部１６を順次通過するものである。本発明の扁平足向け下肢矯正装具は、前記各２つの本体１０ｅの大腿部１６と接続し、上部に２つの本体１０ｅの着用空間と連通する着用口を有する骨盤部２０を含む。図１５及び図１６に示すように、前記各本体１０ｅにおいて、前記足首部１２に位置する第１弾性補助部１８、又は第１弾性補助部１８及び第２弾性補助部１８は、前記下腿部１４の後ろ側を回り込んで、前記膝関節部１５の内側を通って、その後、前記大腿部１６の前側を回り込んで、前記骨盤部２０の外側を斜めに通って後側面まで延在する。尚、ここでは、前記２つの本体１０ｅの第１弾性補助部１８が前記骨盤部２０後側面まで延在することで、該第１弾性補助部１８が通った経路は、人体の股関節（Ｈｉｐ  ｊｏｉｎｔ）Ｈ、坐骨（Ｉｓｃｈｉａ）Ｉ、仙骨（Ｓａｃｒｕｍ）Ｊ、仙腸関節（Ｓａｃｒｏｉｌｉａｃ  ｊｏｉｎｔ）Ｋ、及び腸骨稜（Ｉｌｉａｃ  ｃｒｅｓｔ）Ｌの位置に対応している。前記２つの本体１０ｅの第１弾性補助部１８は、人体の骨盤後部の臀部に対応する位置で他の１本の第１弾性補助部と交差し、その後、該骨盤部２０の後側面へ向かって延び、最後に人体の骨盤と腰部が繋がる箇所の近くに巻き付く。
【００１９】
本発明の扁平足向け下肢矯正装具は、使用者３０が着用することで、姿勢の調節を助けるためのものである。図１〜図４、図５〜図８、図９と図１０、図１１〜図１３、及び図１４〜図１６に示すように、足の過剰回内を調整する一例としては、まず、前記本体１０ａ、１０ｂ、１０ｃ、１０ｄ，１０ｅの着用空間に使用者３０の足を入れ、該本体１０ａ、１０ｂ、１０ｃ、１０ｄ，１０ｅの足裏部１１を人体の足裏に合わせると共に、該足裏部１１の足弓区１１３を人体の土踏まずに合わせ、該足裏部１１の足甲区１１２を人体の足の甲に合わせ、該足裏部１１の足底区１１１を人体の足底に合わせ、該本体１０ａ、１０ｂ、１０ｃ、１０ｄ，１０ｅの足首部１２を人体の足首に合わせることで、先端が前記足甲区１１２に位置する。これと共に、前記外側区１１４に隣接する前記第１弾性補助部１８を、該足甲区１１２から外向きに下方へ延ばし、該外側区１１４を回り込ませて、その後、該足底区１１１、足弓区１１３を通過させて、さらに斜め上に沿って該足首部１２まで延在させる。これにより、使用者３０の土踏まずに引き上げ力を提供するので、過剰回内によって崩れた土踏まずのアーチを引き上げることで、過剰回内の矯正を助けることができる。
【００２０】
図５〜図８、図１２及び図１５に示すように、前記第２弾性補助部１９を、下から上に向かって前記第１外反母趾区１３２を回り込ませ、前記足甲区１１２を通して、前記足首部１２に向かって斜め上に延ばすことで、使用者３０の第１外反母趾箇所に適度な引き上げ力を提供することができるので、外反母趾の矯正を助ける。
【００２１】
図１１〜図１３に示すように、前記下腿部１４に延在している第１弾性補助部１８をさらに、前記膝関節部１５の内側を回り込ませて内向きに上方へ送り、その後、前記大腿部１６の前側を回り込ませて該大腿部１６に巻き付けて、使用者３０の下腿及び大腿に外側方向への回転力（ｅｘｔｅｒｎａｌ  ｒｏｔａｔｉｏｎ）、且つ膝関節の内側方向への押圧力を提供することで、過剰外反（ｖａｌｇｕｓ）する膝関節とＸ脚の矯正を助ける。
【００２２】
図１４〜図１６に示すように、前記下腿部１４に延在している第１弾性補助部１８をさらに、前記膝関節部１５の内側を回り込ませて内向きに上方へ進ませ、その後、前記大腿部１６の前側を回り込ませて、前記骨盤部２０の外側を斜めに通して後側面まで延伸させることで、使用者３０下腿及び大腿に外側方向への回転力、且つ膝関節の内側方向への押圧力を提供する。これによって、過剰外反する膝関節とＸ脚の矯正を助けることに加え、股関節に対して外側且つ後方方向への回転力を提供すると共に、股関節に対して押圧力を提供することで、大腿骨の内旋、股関節の内旋、及び股関節における大腿骨頭が骨盤の寛骨臼を後方に押すことによって骨盤が傾いてしまう問題を解決する。
【００２３】
図１〜図４、図５〜図８、及び図９、図１０に示すように、前記各本体１０ａ、１０ｂ、１０ｃは、靴下又は足首サポーターのような形状であってもよく、前記第１弾性補助部１８はさらに前記足首部１２の上部を取り囲むことで、該第１弾性補助部１８がもたらす力、且つ安定性を高められる。また、図１１〜図１３、及び図１４〜図１６に示すように、本発明の扁平足向け下肢矯正装具は、膝上靴下、又はタイツのような形状であってもよい。
【００２４】
上述したように、本発明の扁平足向け下肢矯正装具は、前記第１弾性補助部１８を介して前記足弓区１１３を回り込んで、その後、前記膝関節部１５、骨盤部２０を通すことで、人体の股関節に対して重点的に矯正する力を送り、使用者３０の下肢バイオメカニクスと、骨格及び骨盤の配列を正確に維持する。故に、乱れた骨格の配列によって全身的な姿勢不良からの不快感及び痛みを緩和させることができるので、健康を増進させることが可能となる。
【００２５】
以上の説明は、本発明の好ましい実施形態に過ぎず、本発明に対して何ら限定を行うものではない。本発明について、比較的好ましい実施形態をもって上記のとおり開示したが、これは本発明を限定するものではなく、すべての当業者が、本発明の技術構想を逸脱しない範囲において、本発明の技術の本質に基づいて上記の実施形態に対して行ういかなる簡単な修正、変更及び修飾もすべて本発明の技術構想の範囲内にある。
【符号の説明】
【００２６】
１０ａ、１０ｂ、１０ｃ、１０ｄ、１０ｅ    本体
１１  足裏部
１１１  足底区
１１２  足甲区
１１３  足弓区
１１４  外側区
１２  足首部
１３  爪先部
１３１  第１足指袋
１３２  第１外反母趾区
１４  下腿部
１５  膝関節部
１６  大腿部
１７  基礎部
１８  第１弾性補助部
１９  第２弾性補助部
２０  骨盤部
３０  使用者
【図１】
2019177136.tif 000003
【図２】
2019177136.tif 000004
【図３】
2019177136.tif 000005
【図４】
2019177136.tif 000006
【図５】
2019177136.tif 000007
【図６】
2019177136.tif 000008
【図７】
2019177136.tif 000009
【図８】
2019177136.tif 000010
【図９】
2019177136.tif 000011
【図１０】
2019177136.tif 000012
【図１１】
2019177136.tif 000013
【図１２】
2019177136.tif 000014
【図１３】
2019177136.tif 000015
【図１４】
2019177136.tif 000016
【図１５】
2019177136.tif 000017
【図１６】
2019177136.tif 000018
【図１７】
2019177136.tif 000019
【図１８Ａ】
2019177136.tif 000020
【図１８Ｂ】
2019177136.tif 000021
【外国語明細書】
2019177136000001.pdf